(57)【要約】【課題】隣り合う席のプレイヤーの間を分煙できる麻雀卓を提供する。【解決手段】麻雀卓１０の４つの角部に空気吹き出し装置１８とその下方に灰皿２２がそれぞれ配され、灰皿２２からのタバコ２３の煙を空気吹き出し装置１８が吸い込み、麻雀卓１０の対角線上に沿って空気を上方に吹き出してエアーカーテン３５を隣り合う席のプレイヤーの間に発生させる。【選択図】      図１
2011004772.tif 000002
【特許請求の範囲】
【請求項１】
麻雀卓の４つの角部、前記４つの角部の外方、又は、前記麻雀卓の天板の各対角線上に、空気吹き出し装置がそれぞれ配され、
前記空気吹き出し装置は、
ファンと、
前記ファンからの空気を上方に吹き出す空気吹き出し口と、
を有し、
前記空気吹き出し口から上方に吹き出される空気により前記麻雀卓の隣り合う席の間にエアーカーテンを発生させる、
ことを特徴とする麻雀卓。
【請求項２】
前記空気吹き出し装置が、前記麻雀卓の４つの角部、又は、前記４つの角部の外方にそれぞれ配され、
前記空気吹き出し装置内部に空気清浄手段が設けられ、
前記ファンの空気吸い込み口が前記空気吹き出し装置の下面に設けられ、
前記空気吸い込み口の下方に灰皿が設けられている、
ことを特徴とする請求項１記載の麻雀卓。
【請求項３】
前記空気吹き出し装置が、前記麻雀卓の４つの角部、又は、前記４つの角部の外方にそれぞれ配され、
前記空気吹き出し口がスリット状であり、かつ、前記対角線の延長線上に設けられている、
ことを特徴とする請求項１記載の麻雀卓。
【請求項４】
前記空気吹き出し装置が、前記麻雀卓の前記４つの角部にそれぞれ取り付けられている、
ことを特徴とする請求項１記載の麻雀卓。
【請求項５】
前記空気吹き出し装置が、前記麻雀卓の前記４つの角部の外方にそれぞれ配された台、机、ワゴン、又は、テーブルに取り付けられている、
ことを特徴とする請求項１記載の麻雀卓。
【請求項６】
前記空気吹き出し装置が、前記天板の前記各対角線上の下方にそれぞれ配され、
前記空気吹き出し口が、前記対角線上に沿ったスリット状の開口部、又は、前記対角線上に沿って並んだ複数の孔状の開口部に繋がっている、
ことを特徴とする請求項１記載の麻雀卓。
【発明の詳細な説明】
【技術分野】
【０００１】
本発明は、分煙機能を有した麻雀卓に関するものである。
【背景技術】
【０００２】
従来より、麻雀卓の各辺に座ってプレイヤーが麻雀をしながら喫煙する場合に、麻雀卓の各角部にある灰皿に置いたタバコの煙を吸煙して排気する麻雀卓が提案されている（例えば、特許文献１参照）。
【先行技術文献】
【特許文献】
【０００３】
【特許文献１】実公平３−２４７６６８号公報
【発明の概要】
【発明が解決しようとする課題】
【０００４】
上記麻雀卓においては、灰皿に置かれたタバコの煙については吸煙して排気することができる。しかしながら、最近は公共の場における禁煙と分煙の措置が法制化等され、公共の場、飲食店、娯楽施設での規制が強化されている。
【０００５】
そのため、麻雀店においても、タバコを吸うプレイヤーから吐き出される煙（主流煙）や手に持ったタバコからの煙を、タバコを吸わないプレイヤーに流れないように分煙する必要がある。ところが、上記麻雀卓では、灰皿の煙（副流煙）のみを吸煙するだけであるため、主流煙等については分流することができないという問題点があった。
【０００６】
麻雀店では、この問題点を解決するために、店内に空気清浄機等を設置しているが、この空気清浄機等では、麻雀卓で隣り合う席のプレイヤーの間を分煙することはできない。
【０００７】
そこで、本発明は上記問題点に鑑み、麻雀卓で隣り合う席のプレイヤーの間を分煙できる麻雀卓を提供する。
【課題を解決するための手段】
【０００８】
本発明は、麻雀卓の４つの角部、前記４つの角部の外方、又は、前記麻雀卓の天板の各対角線上に、空気吹き出し装置がそれぞれ配され、前記空気吹き出し装置は、ファンと、前記空気吹き出し装置の上面に設けられた前記ファンの空気吹き出し口と、を有し、前記空気吹き出し口から吹き出される空気により前記麻雀卓の隣り合う席の間にエアーカーテンを発生させる、ことを特徴とする麻雀卓である。
【発明の効果】
【０００９】
本発明によれば、空気吹き出し装置から吹き出された空気によってエアーカーテンが発生し、麻雀卓の各辺に座った隣り合う席のプレイヤーを分煙できる。
【図面の簡単な説明】
【００１０】
【図１】第１の実施形態の麻雀卓の斜視図である。
【図２】同じく麻雀卓の平面図である。
【図３】空気吹き出し装置と灰皿の縦断面図である。
【図４】第２の実施形態の麻雀卓の平面図である。
【図５】同じく台と灰皿と空気吹き出し装置の斜視図である。
【図６】第３の実施形態の麻雀卓の平面図である。
【図７】図６におけるＡ−Ａ線断面図である。
【図８】第３の実施形態の麻雀卓の平面図である。
【図９】図８におけるＢ−Ｂ線断面図である。
【発明を実施するための形態】
【００１１】
以下、本発明の一実施形態の麻雀卓１０について図面に基づいて説明する。
【００１２】
（第１の実施形態）
まず、第１の実施形態の麻雀卓１０について図１〜図３に基づいて説明する。
【００１３】
（１）麻雀卓１０の構造
本実施形態の麻雀卓１０の構造について、図１及び図２に基づいて説明する。
【００１４】
図１は、麻雀卓１０の斜視図であり、図２は麻雀卓１０の平面図である。
【００１５】
麻雀卓１０は、平面形状が正方形の卓台１２を有し、この卓台１２が１本の脚１４に載置されている。この卓台１２の正方形の天板４０において、４人のプレイヤーが牌を並べて麻雀のゲームを行う。なお、この麻雀卓１０は自動麻雀卓であり、卓台１２に対し天板４０が開閉自在であり、その卓台１２の内部に牌を混ぜて並べたりする装置や、図１に示すように、各辺に点数表示部１６が設けられ、天板４０の中央にはサイコロ装置６０が設けられている。
【００１６】
卓台１２の４つの角部には、それぞれ空気吹き出し装置１８が取り付けられている。この空気吹き出し装置１８については後から説明する。
【００１７】
卓台１２の４つの角部の下面から外方に向かって、灰皿取り付け部２０が突出している。この灰皿取り付け部２０は、金属製の棒体又は細長い金属板であり、その基部は卓台１２の下面に固定され、その先端部にはリング部が設けられ、このリング部に灰皿２２が着脱自在にはめ込まれている。なお、灰皿２２は、前記空気吹き出し装置１８の下方に位置している。
【００１８】
（２）空気吹き出し装置１８の構造
次に、空気吹き出し装置１８の構造について図３に基づいて説明する。
【００１９】
空気吹き出し装置１８の本体２４は合成樹脂製であり、ほぼ四角筒の形状をなし、外側の壁面のみ湾曲して円筒形となっている。本体２４内部には下方から順番に、空気清浄手段である活性炭からなるフィルター部２６、吸い込みファン２８、シロッコファン３０が設けられている。本体２４の下面には、空気を吸い込むための空気吸い込み口３２が開口している。本体２４の上面は、外方にいくほど下方に傾斜し、かつ、スリット状の空気吹き出し口３４が開口している。このスリット状の空気吹き出し口３４は、卓台１２の各対角線の延長上に沿ってそれぞれ開口している。シロッコファン３０は、吹き出す空気の風方向調整羽根３１を有し、スリット状の空気吹き出し口３４からの空気の風向を調整できる。
【００２０】
（３）使用状態
上記構成の麻雀卓１０の使用状態と効果について説明する。
【００２１】
図２に示すように麻雀卓１０の各辺の席にある椅子１１に４人のプレイヤーＡ、Ｂ、Ｃ、Ｄがそれぞれ座り、例えば、これら４人のプレイヤーの中で２人のプレイヤーＡ、Ｃがタバコを吸うものとする。
【００２２】
麻雀卓１２に４つの角部にある空気吹き出し装置１８をそれぞれ動作させる。すると、灰皿２２に置かれたタバコ２３の副流煙は、空気吹き出し装置１８の空気吸い込み口３２から吸い込みファン２８によって吸い込まれ、フィルター部２６を通って空気が清浄される。このように清浄された空気は、シロッコファン３０によって空気吹き出し口３４から吹き出される。この空気吹き出し口３４はスリット状で、かつ、卓台１２の対角線の延長線上に配されているため、吹き出される空気によって、隣り合う席のプレイヤーの間にエアーカーテン３５が発生する。ここでエアーカーテン３５が、卓台１２の各対角線の延長線上の上方にのみ壁のように吹き出され、かつ、麻雀卓１０の内方から外方に向かって発生するように、シロッコファン３０の風方向調整羽根３１を調整しておく。また、本体２４の上面が外方にいくほど下方に傾斜しているために、麻雀卓１０から外方に向かってエアーカーテン３５が発生し易くなる。これによって、プレイヤーＡ、Ｃが手に持っているタバコ２３からの煙や、口から吐き出される主流煙が、エアーカーテン３５に遮られ、タバコ２３を吸わないプレイヤーＢ、Ｄに流れることがなく、隣り合う席のプレイヤーの間を分煙できる。
【００２３】
また、タバコ２３からの副流煙は、上記したように空気吹き出し装置１８によって吸い込まれフィルター部２６によって清浄されるため、タバコ２３を吸わないプレイヤーＢ、Ｄに悪影響を及ぼすことがない。
【００２４】
（第２の実施形態）
次に、第２の実施形態の麻雀卓１０について図４及び図５に基づいて説明する。
【００２５】
第１の実施形態では、空気吹き出し装置１８と灰皿２２を麻雀卓１０に直接取り付けたが、本実施形態では図４に示すように麻雀卓１０の４つの角部の外方にそれぞれ配された台３６に設ける。
【００２６】
すなわち、図５に示すように、台３６の上面に灰皿２２を配置し、その上方に空気吹き出し装置１８が位置するように、空気吹き出し装置１８を支持台１９に載置する。
【００２７】
本実施形態においても、灰皿２２からの副流煙は空気吹き出し装置１８に吸い込まれ、空気吹き出し装置１８のスリット状の空気吹き出し口３４から卓台１２の対角線の延長線上に空気を吹き出して、エアーカーテン３５を発生させる。このエアーカーテン３５によって、隣り合う席のプレイヤーの間が分煙される。
【００２８】
（第３の実施形態）
次に、第３の実施形態の麻雀卓１０について図６及び図７に基づいて説明する。
【００２９】
本実施形態では、麻雀卓１０の天板４０の各対角線上に４つの空気吹き出し装置１８を設ける。
【００３０】
（１）麻雀卓１０の構造
本実施形態の麻雀卓１０の構造について、図６及び図７に基づいて説明する。
【００３１】
正方形の天板４０は、卓台１２に開閉自在に被せられており、上記したように、卓台１２の内部には、牌を混ぜて並べたりする装置やサイコロ装置６０などが内蔵されている。
【００３２】
天板４０は、アルミニウム板４２にマット４４を積層したものであり、図６に示すように、天板４０の各辺の近傍には、牌を出し入れするための長方形の長孔４６が各辺に平行に開口し、天板４０の中央にサイコロ装置６０を露出させるための正方形の四角孔４８が開口している。また、天板４０の対角線Ｌ１、Ｌ２上に４つのスリット状の開口部５０が、４つの角部近傍にそれぞれ設けられている。具体的には、牌が並べられる長孔４６よりも外方に開口している。
【００３３】
この天板４０の開口部５０の下面（すなわち、卓台１２の内部）には、図７に示すように空気吹き出し装置１８がそれぞれ取り付けられている。この空気吹き出し装置１８は、ファン５２を有し、また、このファン５２の上方にはノズル５４を有している。ノズルの空気吹き出し口が、空気吹き出し装置１８の空気吹き出し口となり、また、ノズル５４の空気吹き出し口が、スリット状の開口部５０に繋がるように、ノズル５４の先端が、開口部５０に差し込まれている。
【００３４】
なお、ファン５２のための空気吸い込み口は、卓台１２の下面、側面、又は、脚部１４に設ける。
【００３５】
（２）使用状態
上記構成の麻雀卓１０の使用状態について説明する。
【００３６】
空気吹き出し装置１８のファン５２を回転させると、ファン５２は下方から空気を吸い込み、ファン５２からの空気は、ノズル５４を通してスリット状の開口部５０に送られる。スリット状の開口部５０からは上方に空気が吹き出されてエアーカーテン３５となり、麻雀卓１０の隣り合う席のプレーヤーの間を分煙できる。
【００３７】
（３）効果
本実施形態の麻雀卓１０であると、卓台１２に対し開閉自在な天板４０の下面にそれぞれ空気吹き出し装置１８を取り付けるだけで、分煙機能を実現できる。
【００３８】
そのため、従来分煙機能を有していない麻雀卓でも、空気吹き出し装置１８を取り付けた天板４０に交換するだけで、分煙機能を実現できる。
【００３９】
（第４の実施形態）
次に、第４の実施形態の麻雀卓１０について図８及び図９に基づいて説明する。
【００４０】
第３の実施形態では、空気吹き出し装置１８を天板４０の下面に取り付けていたが、本実施形態では４つの空気吹き出し装置１８を卓台１２内部に直接設けるものである。
【００４１】
（１）麻雀卓１０の構造
図８に示すように、第３の実施形態と同様に、天板４０の各対角線に沿って４つのスリット状の開口部５０が設けられている。そして、この開口部５０の下方にある卓台１２内部における底面に空気吹き出し装置１８が設けられている。空気吹き出し装置１８は、第３の実施形態と同様に、ファン５２とノズル５４を有し、ファン５２から吹き出された空気はノズル５４によってスリット状の開口部５０に送られ、エアーカーテン３５を発生させる。また、この空気吹き出し装置１８は、卓台１２の４つの角部外方に設けられた灰皿２２の位置であって、卓台１２の側面の位置に空気吸い込み口５８を有している。この空気吸い込み口５８とファン５２との間にはフィルター部５６が設けられている。
【００４２】
（２）使用状態
本実施形態の麻雀卓１０の使用状態について説明する。
【００４３】
灰皿２２に置かれたタバコ２３からの副流煙は、空気吸い込み口５８に吸い込まれ、フィルター部５６で清浄される。この清浄された空気はファン５２によって上方に送られ、ノズル５４を介して開口部５０からエアーカーテン３５として吹き出され、隣り合う席のプレーヤーの間を分煙できる。
【００４４】
（３）効果
本実施形態の麻雀卓１０であると、灰皿２２に置かれたタバコ２３からの副流煙を清浄することができると共に、隣り合うプレーヤーの間を分煙できる。
【００４５】
（変更例）
本発明は上記各実施形態に限らず、その主旨を逸脱しない限り種々に変更することができる。
【００４６】
例えば、上記実施形態では、空気清浄手段として、活性炭よりなるフィルター部２６を設けたが、これに加えて、マイナスイオンを発生させるイオン発生装置を本体２４内部に設けることにより、マイナスイオンを空気吹き出し口３４から吹き出すことができる。
【００４７】
また、空気清浄手段として、マイナスイオンに代えて、オゾンを発生させるオゾン発生装置を設けてもよい。
【００４８】
また、上記実施形態では、灰皿２２を空気吹き出し装置１８の下方に配したが、これに代えて、空気吹き出し装置１８の側方に灰皿２２を設けてもよい。この場合には、空気吸い込み口３２を空気吹き出し装置１８の側方に設ける。
【００４９】
また、上記実施形態では、スリット状に空気を吹き出して壁状のエアーカーテン３５を発生させたが、これに代えて、複数個の円孔状の空気吹き出し口を所定間隔毎に対角線の延長線上に設け、これら円孔状の空気吹き出し口からスポット状の空気を吹き出して、エアーカーテン３５を壁状に発生させてもよい。
【００５０】
また、灰皿２２を設けず、空気吹き出し装置１８によってエアーカーテン３５のみを発生させても、隣り合うプレイヤーの間が分煙できる。さらに、この変更例として、空気吹き出し装置１８を灰皿２２の上方に設け、灰皿２２からの煙を吸わない構造にしてもよい。なお、灰皿２２からの煙については、他の吸煙装置で吸煙する。このような構造にする理由は、特許文献１に記載されている吸煙装置付きの麻雀卓にも空気吹き出し装置１８を取り付けることができるからである。
【００５１】
また、上記実施形態では、吸い込みファン２８とシロッコファン３０を、空気吹き出し装置１８の本体２４に設けたが、これに限らず、一台のファンで空気の吸い込みと吹き出しを行ってもよい。
【００５２】
また、第１の実施形態の空気吹き出し装置１８の本体２４の上面は、水平でもよいし、内方ほど下方に傾斜していてもよい。
【００５３】
また、第２の実施形態では台３６に灰皿２２と空気吹き出し装置１８を設けたが、これに代えて、隣り合う席のプレイヤーの間に配置されるテーブル、ワゴン、又は、机の上に灰皿２２と空気吹き出し装置１８を配置してもよい。
【００５４】
また、第３の実施形態と第４の実施形態の麻雀卓１０において、エアーカーテン３５を吹き出す開口部５０は、天板４０の対角線上に沿って並んだ複数の孔状でもよい。
【００５５】
また、上記各実施形態の麻雀卓１０の構成をそれぞれ随時組み合わせてもよい。例えば、第１の実施形態の麻雀卓１０の構成に第３の実施形態の麻雀卓１０を組み合わせてもよい。すなわち、天板４０の下方と卓台１２の角部にそれぞれ空気吹き出し装置１８を設けてもよい。また、同様に、第２の実施形態の麻雀卓１０の構成に第３の実施形態の麻雀卓１０を組み合わせてもよい。これにより、天板４０上から麻雀卓１０の外方までエアーカーテン３５が発生して、隣り合う席のプレーヤーの間を全てエアーカーテン３５で仕切ることができる。
【符号の説明】
【００５６】
１０  麻雀卓
１２  卓台
１８  空気吹き出し装置
２２  灰皿
２４  本体
２６  フィルター部
２８  吸い込みファン
３０  シロッコファン
３２  空気吸い込み口
３４  空気吹き出し口
３５  エアーカーテン
４０  天板
【図１】
2011004772.tif 000003
【図２】
2011004772.tif 000004
【図３】
2011004772.tif 000005
【図４】
2011004772.tif 000006
【図５】
2011004772.tif 000007
【図６】
2011004772.tif 000008
【図７】
2011004772.tif 000009
【図８】
2011004772.tif 000010
【図９】
2011004772.tif 000011